(57)【要約】  面発光体の色ムラ評価方法は、面発光体の発光領域を複数のブロックに分割する工程と、ブロックごとに三刺激値を測定する工程と、三刺激値から、明度指数およびクロマティクネス指数を算出する工程と、クロマティクネス指数から、任意に選択される２つのブロック間の色差ΔＥａｂｉｊを下記式（１）を用いて算出するとともに、距離ｄｉｊを下記式（２）を用いて算出する工程と、色差ΔＥａｂｉｊと距離ｄｉｊとから、面発光体の色ムラ指数Ｃｄを下記式（３）を用いて算出する工程と、を備える。  【数１】2013175973.tif 000039  【数２】2013175973.tif 000040  【数３】2013175973.tif 000041
2013175973.tif 000002
【特許請求の範囲】
【請求項１】
面発光体の発光領域を複数のブロックに分割する工程と、
前記ブロックごとに三刺激値を測定する工程と、
前記三刺激値から、明度指数およびクロマティクネス指数を算出する工程と、
前記クロマティクネス指数から、任意に選択される２つのブロック間の色差ΔＥａｂｉｊを下記式（１）を用いて算出するとともに、距離ｄｉｊを下記式（２）を用いて算出する工程と、
前記色差ΔＥａｂｉｊと前記距離ｄｉｊとから、前記面発光体の色ムラ指数Ｃｄを下記式（３）を用いて算出する工程と、
を備えることを特徴とする面発光体の色ムラ評価方法。
【数１】
2013175973.tif 000021
〔式（１）中、「ａｉ」，「ｂｉ」は位置ｉのブロックのクロマティクネス指数を表し、「ａｊ」，「ｂｊ」は位置ｊのブロックのクロマティクネス指数を表している。〕
【数２】
2013175973.tif 000022
〔式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。〕
【数３】
2013175973.tif 000023
〔式（３）中、「ΔＥａｂｉｊ」，「ｄｉｊ」は、それぞれ位置ｉと位置ｊとのブロック間の色差および距離を表し、ｌは発光領域の分割されたブロック数を表している。〕
【請求項２】
複数に分割された面発光体の発光領域のブロックごとに三刺激値を測定する測定部と、
前記三刺激値から、明度指数およびクロマティクネス指数を算出し、前記クロマティクネス指数から、任意に選択される２つのブロック間の色差ΔＥａｂｉｊを下記式（１）を用いて算出するとともに、距離ｄｉｊを下記式（２）を用いて算出し、前記色差ΔＥａｂｉｊと前記距離ｄｉｊとから、前記面発光体の色ムラ指数Ｃｄを下記式（３）を用いて算出する制御部と、
を備えることを特徴とする面発光体の色ムラ評価装置。
【数４】
2013175973.tif 000024
〔式（１）中、「ａｉ」，「ｂｉ」は位置ｉのブロックのクロマティクネス指数を表し、「ａｊ」，「ｂｊ」は位置ｊのブロックのクロマティクネス指数を表している。〕
【数５】
2013175973.tif 000025
〔式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。〕
【数６】
2013175973.tif 000026
〔式（３）中、「ΔＥａｂｉｊ」，「ｄｉｊ」は、それぞれ位置ｉと位置ｊとのブロック間の色差および距離を表し、ｌは発光領域の分割されたブロック数を表している。〕
【請求項３】
面発光体の色ムラ評価装置としてのコンピューターに、
面発光体の発光領域を複数のブロックに分割する機能と、
前記ブロックごとに三刺激値を測定する機能と、
前記三刺激値から、明度指数およびクロマティクネス指数を算出する機能と、
前記クロマティクネス指数から、任意に選択される２つのブロック間の色差ΔＥａｂｉｊを下記式（１）を用いて算出するとともに、距離ｄｉｊを下記式（２）を用いて算出する機能と、
前記色差ΔＥａｂｉｊと前記距離ｄｉｊとから、前記面発光体の色ムラ指数Ｃｄを下記式（３）を用いて算出する機能と、
を実現させることを特徴とする面発光体の色ムラ評価プログラム。
【数７】
2013175973.tif 000027
〔式（１）中、「ａｉ」，「ｂｉ」は位置ｉのブロックのクロマティクネス指数を表し、「ａｊ」，「ｂｊ」は位置ｊのブロックのクロマティクネス指数を表している。〕
【数８】
2013175973.tif 000028
〔式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。〕
【数９】
2013175973.tif 000029
〔式（３）中、「ΔＥａｂｉｊ」，「ｄｉｊ」は、それぞれ位置ｉと位置ｊとのブロック間の色差および距離を表し、ｌは発光領域の分割されたブロック数を表している。〕
【請求項４】
面発光体の発光領域を複数のブロックに分割する工程と、
前記ブロックごとに三刺激値を測定する工程と、
前記三刺激値から、明度指数およびクロマティクネス指数を算出する工程と、
前記クロマティクネス指数から、任意に選択される２つのブロック間の色差ΔＥｉｊを下記式（４）を用いて算出するとともに、距離ｄｉｊを下記式（２）を用いて算出する工程と、
前記色差ΔＥｉｊと前記距離ｄｉｊとから、前記面発光体の色ムラ指数Ｅｄを下記式（５）を用いて算出する工程と、
を備えることを特徴とする面発光体の色ムラ評価方法。
【数１０】
2013175973.tif 000030
〔式（４）中、「Ｌｉ」は位置ｉのブロックの明度指数を表し、「ａｉ」，「ｂｉ」は位置ｉのブロックのクロマティクネス指数を表し、「Ｌｊ」は位置ｊのブロックの明度指数を表し、「ａｊ」，「ｂｊ」は位置ｊのブロックのクロマティクネス指数を表している。〕
【数１１】
2013175973.tif 000031
〔式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。〕
【数１２】
2013175973.tif 000032
〔式（５）中、「ΔＥｉｊ」，「ｄｉｊ」は、それぞれ位置ｉと位置ｊとのブロック間の色差および距離を表し、ｌは発光領域の分割されたブロック数を表している。〕
【請求項５】
複数に分割された面発光体の発光領域のブロックごとに三刺激値を測定する測定部と、
前記三刺激値から、明度指数およびクロマティクネス指数を算出し、前記クロマティクネス指数から、任意に選択される２つのブロック間の色差ΔＥｉｊを下記式（４）を用いて算出するとともに、距離ｄｉｊを下記式（２）を用いて算出し、前記色差ΔＥｉｊと前記距離ｄｉｊとから、前記面発光体の色ムラ指数Ｅｄを下記式（５）を用いて算出する制御部と、
を備えることを特徴とする面発光体の色ムラ評価装置。
【数１３】
2013175973.tif 000033
〔式（４）中、「Ｌｉ」は位置ｉのブロックの明度指数を表し、「ａｉ」，「ｂｉ」は位置ｉのブロックのクロマティクネス指数を表し、「Ｌｊ」は位置ｊのブロックの明度指数を表し、「ａｊ」，「ｂｊ」は位置ｊのブロックのクロマティクネス指数を表している。〕
【数１４】
2013175973.tif 000034
〔式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。〕
【数１５】
2013175973.tif 000035
〔式（５）中、「ΔＥｉｊ」，「ｄｉｊ」は、それぞれ位置ｉと位置ｊとのブロック間の色差および距離を表し、ｌは発光領域の分割されたブロック数を表している。〕
【請求項６】
面発光体の色ムラ評価装置としてのコンピューターに、
面発光体の発光領域を複数のブロックに分割する機能と、
前記ブロックごとに三刺激値を測定する機能と、
前記三刺激値から、明度指数およびクロマティクネス指数を算出する機能と、
前記クロマティクネス指数から、任意に選択される２つのブロック間の色差ΔＥｉｊを下記式（４）を用いて算出するとともに、距離ｄｉｊを下記式（２）を用いて算出する機能と、
前記色差ΔＥｉｊと前記距離ｄｉｊとから、前記面発光体の色ムラ指数Ｅｄを下記式（５）を用いて算出する機能と、
を実現させることを特徴とする面発光体の色ムラ評価プログラム。
【数１６】
2013175973.tif 000036
〔式（４）中、「Ｌｉ」は位置ｉのブロックの明度指数を表し、「ａｉ」，「ｂｉ」は位置ｉのブロックのクロマティクネス指数を表し、「Ｌｊ」は位置ｊのブロックの明度指数を表し、「ａｊ」，「ｂｊ」は位置ｊのブロックのクロマティクネス指数を表している。〕
【数１７】
2013175973.tif 000037
〔式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。〕
【数１８】
2013175973.tif 000038
〔式（５）中、「ΔＥｉｊ」，「ｄｉｊ」は、それぞれ位置ｉと位置ｊとのブロック間の色差および距離を表し、ｌは発光領域の分割されたブロック数を表している。〕
【発明の詳細な説明】
【技術分野】
【０００１】
本発明は、面発光体の色ムラ評価方法、評価装置および評価プログラムに関する。
【背景技術】
【０００２】
各種ディスプレイのバックライト、看板や非常灯等の表示板、照明等の光源として用いられる面発光体は、高輝度、高効率、薄型、軽量といった多くの優れた特徴を有することから、近年注目されている。
このような面発光体の中でも、有機材料を用いて正負の各極からの電気エネルギーによって発光させる有機エレクトロルミネッセンス素子（有機ＥＬ素子）は、数Ｖ〜数十Ｖ程度の低電圧で発光が可能であり、薄膜型の完全固体素子であり、省スペースである等の理由から、特に注目を集めている。【０００３】
上記のような面発光体は、発光領域での膜厚の違い等によって、発光した際、輝度ムラや色ムラ等の表示ムラが観測されることがある。そのため、生産過程においては、これら表示ムラを画一的に評価する手法が必要となる。【０００４】
たとえば、輝度ムラの評価方法として、発光領域内の輝度の最大値と最小値との差から、輝度ムラを評価する方法がある。しかし、この評価方法では、評価結果（輝度の最大値と最小値との差）が同じであったとしても、その数値範囲での輝度分布の仕方によっては輝度ムラが目立ってしまい、評価方法として十分とはいえない。
そこで、発光領域を１３のブロックに分割し、ブロックごとの発光輝度を測定することで輝度ムラを評価する技術が開示されている（非特許文献１参照）。この非特許文献１では、輝度ムラの評価に際し、ブロック間の距離を加味することで、より厳密な輝度ムラの評価を可能としている。
【先行技術文献】
【非特許文献】
【０００５】
【非特許文献１】Ｔｈｏｒｓｔｅｎ  Ｇｅｒｌｏｆｆ  ｅｔ  ａｌ．，ＯＬＥＤ１００．ｅｕ  ＮＥＷＳＬＥＴＴＥＲ，ＦＥＢＲＵＡＲＹ  ２０１０
【発明の概要】
【発明が解決しようとする課題】
【０００６】
しかしながら、上記のようにして、面発光体の色ムラを評価する方法については未だ報告がなされていない。【０００７】
したがって、本発明の主な目的は、面発光体の色ムラの評価方法を提供することにあり、他の目的は、評価装置および評価プログラムを提供することにある。
【課題を解決するための手段】
【０００８】
上記課題を解決するため、本発明の一態様によれば、
面発光体の発光領域を複数のブロックに分割する工程と、
前記ブロックごとに三刺激値を測定する工程と、
前記三刺激値から、明度指数およびクロマティクネス指数を算出する工程と、
前記クロマティクネス指数から、任意に選択される２つのブロック間の色差ΔＥａｂｉｊを下記式（１）を用いて算出するとともに、距離ｄｉｊを下記式（２）を用いて算出する工程と、
前記色差ΔＥａｂｉｊと前記距離ｄｉｊとから、前記面発光体の色ムラ指数Ｃｄを下記式（３）を用いて算出する工程と、
を備えることを特徴とする面発光体の色ムラ評価方法が提供される。【０００９】
【数１】
2013175973.tif 000003
【００１０】
式（１）中、「ａｉ」，「ｂｉ」は位置ｉのブロックのクロマティクネス指数を表し、「ａｊ」，「ｂｊ」は位置ｊのブロックのクロマティクネス指数を表している。【００１１】
【数２】
2013175973.tif 000004
【００１２】
式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。【００１３】
【数３】
2013175973.tif 000005
【００１４】
式（３）中、「ΔＥａｂｉｊ」，「ｄｉｊ」は、それぞれ位置ｉと位置ｊとのブロック間の色差および距離を表し、ｌは発光領域の分割されたブロック数を表している。【００１５】
さらに、本発明の他の態様によれば、
面発光体の発光領域を複数のブロックに分割する工程と、
前記ブロックごとに三刺激値を測定する工程と、
前記三刺激値から、明度指数およびクロマティクネス指数を算出する工程と、
前記クロマティクネス指数から、任意に選択される２つのブロック間の色差ΔＥｉｊを下記式（４）を用いて算出するとともに、距離ｄｉｊを下記式（２）を用いて算出する工程と、
前記色差ΔＥｉｊと前記距離ｄｉｊとから、前記面発光体の色ムラ指数Ｅｄを下記式（５）を用いて算出する工程と、
を備えることを特徴とする面発光体の色ムラ評価方法が提供される。【００１６】
【数４】
2013175973.tif 000006
【００１７】
式（４）中、「Ｌｉ」は位置ｉのブロックの明度指数を表し、「ａｉ」，「ｂｉ」は位置ｉのブロックのクロマティクネス指数を表し、「Ｌｊ」は位置ｊのブロックの明度指数を表し、「ａｊ」，「ｂｊ」は位置ｊのブロックのクロマティクネス指数を表している。【００１８】
【数５】
2013175973.tif 000007
【００１９】
式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。【００２０】
【数６】
2013175973.tif 000008
【００２１】
式（５）中、「ΔＥｉｊ」，「ｄｉｊ」は、それぞれ位置ｉと位置ｊとのブロック間の色差および距離を表し、ｌは発光領域の分割されたブロック数を表している。
【発明の効果】
【００２２】
本発明によれば、面発光体の色ムラの評価方法を提供することができ、さらには、評価装置および評価プログラムを提供することができる。
【図面の簡単な説明】
【００２３】
【図１】評価装置の概略構成を示すブロック図である。
【図２】評価装置の動作を説明するためのフローチャートである。
【図３】発光領域の分割の一例を示す模式図である。
【図４】評価装置の動作を説明するためのフローチャートである。
【発明を実施するための形態】
【００２４】
以下、図面を参照しながら本発明の好ましい実施形態について説明するが、本発明はこれらに限定されるものではない。
【００２５】
［第１の実施形態］
本発明にかかる面発光体の一例としては、有機ＥＬ素子が挙げられる。
有機ＥＬ素子は、支持基板、電極、種々の機能を有する有機層等によって構成されている。有機ＥＬ素子の好ましい構成の具体例を以下に示すが、本発明はこれらに限定されない。
【００２６】
（ｉ）陽極／正孔輸送層／電子阻止層／発光層／正孔阻止層／電子輸送層／陰極
（ii）陽極／正孔輸送層／電子阻止層／発光層／正孔阻止層／電子輸送層／電子注入層／陰極
（iii）陽極／正孔注入層／正孔輸送層／電子阻止層／発光層／正孔阻止層／電子輸送層／陰極
（iv）陽極／正孔注入層／正孔輸送層／電子阻止層／発光層／正孔阻止層／電子輸送層／電子注入層／陰極
【００２７】
《評価装置》
面発光体の色ムラの評価装置の一例としては、図１に示すとおり、色ムラ測定装置１が使用される。
色ムラ測定装置１は、主に、制御部１０、測定部２０、記憶部３０、入力部４０および出力部５０から構成されている。
【００２８】
制御部１０は、主に、ＣＰＵ１２とＲＡＭ１４とから構成されている。
ＣＰＵ１２は、色ムラ測定装置１の各部を集中制御する。ＣＰＵ１２は、記憶部３０に記憶されているシステムプログラムおよび各種アプリケーションプログラムの中から指定されたプログラムをＲＡＭ１４に展開し、ＲＡＭ１４に展開されたプログラムとの協働で、各種処理を実行する。たとえば、ＣＰＵ１２は、プログラムとの協働により、後述する測定処理を実行することにより、データ作成手段、判定手段として機能する。
ＲＡＭ１４は、ＣＰＵ１２がプログラムを実行する際に展開するプログラム展開エリア、入力部４０から入力される入力データ、各種処理結果等を一時的に記憶するワークエリアを有している。
【００２９】
測定部２０は、たとえば、人間の目に対応する分光感度いわゆる等色関数と略同一の感度を持つ３つのセンサー２２を有し、当該センサー２２により三刺激値Ｘ，Ｙ，Ｚを直接測定する。
【００３０】
記憶部３０は、ＲＯＭ３２等の読み出し専用の半導体メモリにより構成され、色ムラ測定装置１の各種機能を実現するためのプログラムやデータを記憶するメモリである。
記憶部３０は、プログラムやデータが予め記憶された記録媒体（図示略）を有しており、この記録媒体は、記憶部３０に固定的に、または着脱自在に装着することができる。各プログラムは、読取可能なプログラムコードの形態で格納され、ＣＰＵ１２は、当該プログラムコードに従った動作を逐次実行する。後述する評価プログラムも、評価方法を実行するものとして、記録媒体に格納されている。
また、記憶部３０はＨＤＤ等により構成してもよい。
【００３１】
入力部４０は、外部から色ムラ測定装置１にコマンド（命令）やデータ等を入力するための装置であり、たとえば、タッチパネルやキーボード等で構成されている。
【００３２】
出力部５０は、入力部４０から入力されたコマンドやデータおよび制御部１０の演算結果等を出力するための装置であり、たとえば、ＬＣＤ（Ｌｉｑｕｉｄ  Ｃｒｙｓｔａｌ  Ｄｉｓｐｌａｙ）やＥＬＤ（Ｅｌｅｃｔｒｏ  Ｌｕｍｉｎｅｓｃｅｎｃｅ  Ｄｉｓｐｌａｙ）等のディスプレイおよびプリンタ等の印刷装置等である。
また、出力部５０は、入力部４０と一体的にタッチパネルを構成する態様としてもよい。
【００３３】
《評価方法》
図２は、制御部１０が記憶部３０から評価プログラムを読み出して実行する測定処理の流れを示すフローチャートである。評価プログラムは、記録媒体に格納され、後述するステップＳ１〜Ｓ７を実行する。
【００３４】
ステップＳ１では、電源スイッチ（図示略）がオン状態にされると、色ムラ測定装置１が起動され、制御部１０によって必要な各部の初期化が行われる。
【００３５】
ステップＳ２では、制御部１０が、入力部４０から測定開始を指示するコマンドを受け付けると、予めユーザにより入力されたブロック数に応じて、面発光体の発光領域の測定範囲を分割する。
総ブロック数ｌは、任意に設定することができ、たとえば、ユーザが入力部４０において、発光領域の縦方向の分割数ｍ、横方向の分割数ｎを入力する。縦方向、横方向ともに５分割した場合には（ｍ＝５，ｎ＝５）、図３に示すように、総ブロック数ｌは２５となる。
また、各ブロックには、たとえば、左上から右下に向かってブロック番号ｉ（＝１〜２５）が付与される。
なお、図３において、発光領域およびブロックの形状として、正方形状を例として説明したが、これに限定されるものではなく、たとえば、長方形状を呈する発光領域を、正方形状や長方形状のブロックに分割してもよい。
【００３６】
ステップＳ３では、上記のようにして分割されたブロックごとに三刺激値Ｘ，Ｙ，Ｚを測定する。
具体的には、光源から出射され、測定対象物のブロックごとに反射された光を３つのセンサー２２で受光する。このデータに基づいてＣＰＵ１２がＣＩＥ１９３１ＸＹＺ表色系に変換処理し、ブロックごとの三刺激値Ｘ，Ｙ，Ｚを算出する。
なお、本発明において、三刺激値は２度視野三刺激値とする。
【００３７】
ステップＳ４では、三刺激値Ｘ，Ｙ，Ｚの値をＣＩＥ１９７６Ｌ＊ａ＊ｂ＊表色系の値に変換する。
【００３８】
具体的には、まず、測定された刺激値Ｙの最大値を１００とし、この変換比率に基づいて、他の三刺激値Ｘ，Ｙ，Ｚの値を規格化する。
次に、測定された刺激値Ｙの最大値における相関色温度と同じ色温度を有する黒体放射の三刺激値Ｘ，Ｙ，Ｚの値を、Ｙが１００となるように規格化し、この規格化された値をそれぞれＸｎ，Ｙｎ，Ｚｎとする。
色温度に対応した黒体放射の三刺激値は、データテーブルとして記憶部３０に格納されている。
上記のようにして算出された値を、下記式（６）〜（８）に代入することにより、明度指数Ｌ＊，クロマティクネス指数ａ＊，ｂ＊が算出される。
【００３９】
【数７】
2013175973.tif 000009
【００４０】
ステップＳ５では、任意に選択される位置ｉおよび位置ｊのブロック間の色差ΔＥａｂｉｊと距離ｄｉｊとを、下記式（１），（２）を用いて算出する。
【００４１】
【数８】
2013175973.tif 000010
【００４２】
式（１）中、「ａｉ」，「ｂi」は位置ｉにおけるクロマティクネス指数を表し、「ａｊ」，「ｂｊ」は位置ｊにおけるクロマティクネス指数を表している。
【００４３】
【数９】
2013175973.tif 000011
【００４４】
式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。
【００４５】
ステップＳ６では、算出された距離ｄｉｊと色差ΔＥａｂｉｊを用いて、面発光体の発光領域における色ムラ指数Ｃｄを算出する。色ムラ指数Ｃｄは、下記式（３）により求められる。
【００４６】
【数１０】
2013175973.tif 000012
【００４７】
式（３）中、「ΔＥａｂｉｊ」，「ｄｉｊ」は、それぞれ位置ｉと位置ｊとのブロック間の色差および距離を表し、「ｌ」は発光領域における総ブロック数を表している。
【００４８】
ステップＳ７では、制御部１０が上記色ムラ指数Ｃｄとともに、面発光体の色ムラを段階評価し、出力部５０にその評価結果を出力する。
【００４９】
上記段階評価は、記憶部３０に格納されている評価テーブル（図示略）を参照して行う。
たとえば、その一例として、Ｃｄ≦３０であれば◎、３０＜Ｃｄ≦８０であれば○、８０＜Ｃｄ≦１２０であれば△、１２０＜Ｃｄであれば×と評価する。
【００５０】
以上の本実施形態によれば、面発光体の発光領域の色ムラの評価に際し、発光領域を複数のブロックに分割して、色ムラの原因である２つのブロック間の色差を距離で補正するから、より厳密に色ムラを評価することができる。
目視した際の色ムラは、たとえば、ある２点の色差が大きい場合、より距離が近いほど強く感じる。本発明においては、上記式（３）からもわかるように、色差を距離で補正している。すなわち、色差の大きい２つのブロックを考えた場合、そのブロック間の距離が大きいほど色ムラ指数Ｃｄへの影響を小さくし、反対にブロック間の距離が小さいほど色ムラ指数Ｃｄへの影響を大きくすることで、人間が目視した際に感知する色ムラを数値化して評価することが可能となる。
【００５１】
［第２の実施形態］
第２の実施形態は、主に、下記の点で第１の実施形態と異なっている。
【００５２】
《評価方法》
図４は、制御部１０が記憶部３０から評価プログラムを読み出して実行する測定処理の流れを示すフローチャートである。評価プログラムは、記録媒体に格納され、ステップＳ１〜Ｓ４，Ｓ８〜１０を実行する。
【００５３】
ステップＳ８では、任意に選択される位置ｉおよび位置ｊのブロック間の色差ΔＥｉｊと距離ｄｉｊとを、下記式（４），（２）を用いて算出する。
【００５４】
【数１１】
2013175973.tif 000013
【００５５】
式（４）中、「Ｌｉ」は位置ｉにおける明度指数を表し、「ａｉ」，「ｂｉ」は位置ｉにおけるクロマティクネス指数を表し、「Ｌｊ」は位置ｊにおける明度指数を表し、「ａｊ」，「ｂｊ」は位置ｊにおけるクロマティクネス指数を表している。
【００５６】
【数１２】
2013175973.tif 000014
【００５７】
式（２）中、「ｈ」，「ｗ」は、位置ｊのブロックが、位置ｉのブロックに対し、縦方向にブロック数ｈ個、横方向にブロック数ｗ個の位置にあることを表し、「ｍ」，「ｎ」は、それぞれ発光領域の縦方向および横方向の分割数を表している。
【００５８】
ステップＳ９では、算出された色差ΔＥｉｊと距離ｄｉｊとを用いて、面発光体の発光領域における色ムラ指数Ｅｄを算出する。色ムラ指数Ｅｄは、下記式（５）により求められる。
【００５９】
【数１３】
2013175973.tif 000015
【００６０】
式（５）中、「ΔＥｉｊ」，「ｄｉｊ」は、それぞれ位置ｉと位置ｊとのブロック間の色差および距離を表し、「ｌ」は発光領域における総ブロック数を表している。
【００６１】
ステップＳ１０では、制御部１０が上記色ムラ指数Ｅｄとともに、面発光体の色ムラを段階評価し、出力部５０にその評価結果を出力する。
【００６２】
上記段階評価は、記憶部３０に格納されている評価テーブル（図示略）を参照して行う。
たとえば、その一例として、Ｅｄ≦１２０であれば◎、１２０＜Ｅｄ≦１６０であれば○、１６０＜Ｅｄ≦２００であれば△、２００＜Ｅｄであれば×と評価する。
【００６３】
以上の本実施形態によれば、第１の実施形態と同様の効果を得ることができる。
【００６４】
以下、実施例を挙げて本発明を具体的に説明するが、本発明はこれらに限定されるものではない。
【実施例１】
【００６５】
《サンプルの測定》
（１）パネル１０１の色ムラ指数の測定
面光源であるパネル１０１を準備し、図１の色ムラ測定装置を用いて、パネル１０１の三刺激値Ｘ，Ｙ，Ｚを測定した。測定に際し、パネル１０１の発光領域を縦方向に５分割、横方向に５分割し、総ブロック数を２５とした（図３参照）。
測定には、２次元色彩輝度計ＣＡ−２０００（コニカミノルタセンシング社製）を用い、測定環境温度（Ｔａ）を２３℃とした。パネル１０１の駆動用電源としては、直流電圧電流源６２４３（株式会社エーディーシー社製）を用い、駆動電流を３５０ｍＡとした。
測定結果を表１に示す。【００６６】
【表１】
2013175973.tif 000016
【００６７】
次いで、三刺激値Ｘ，Ｙ，Ｚの値から、明度指数Ｌ＊とクロマティクネス指数ａ＊，ｂ＊とを算出した。【００６８】
まず、刺激値Ｙの最大値を示すブロック５の刺激値Ｙが１００となるように規格化した。
次いで、ブロック５の相関色温度２４１８Ｋと同じ色温度の黒体放射のＸ，Ｙ，Ｚ値をＹ値が１００となるように規格化し、これをＸｎ（＝１１７），Ｙｎ（＝１００），Ｚｎ（＝２４）とした。
これらＸｎ，Ｙｎ，Ｚｎを上記式（６）〜（８）に代入して、明度指数Ｌ＊とクロマティクネス指数ａ＊，ｂ＊とを算出した。【００６９】
次いで、任意に選択される２つのブロック間の色差ΔＥａｂｉｊと距離ｄｉｊとを、上記式（１），（２）を用いて算出した。【００７０】
次いで、上記式（３）を用いて、色ムラ指数Ｃｄを算出した。
その結果、色ムラ指数Ｃｄは２０であった。【００７１】
（２）パネル１０２の色ムラ指数の測定
パネル１０１の三刺激値の測定において、総ブロック数を８１（＝縦９×横９）とし、駆動電流を２８０ｍＡとした以外は同様にして、パネル１０２の三刺激値を測定した。
測定結果を表２に示す。【００７２】
【表２】
2013175973.tif 000017
【００７３】
上記三刺激値から、パネル１０１と同様にして、パネル１０２の色ムラ指数Ｃｄを算出した。
その結果、色ムラ指数Ｃｄは４２であった。
なお、パネル１０２において、Ｘｎ＝１０２，Ｙｎ＝１００，Ｚｎ＝５９であった。【００７４】
（３）パネル１０３の色ムラ指数の測定
パネル１０１の三刺激値の測定において、駆動電流を１００ｍＡとした以外は同様にして、パネル１０３の三刺激値を測定した。
測定結果を表３に示す。【００７５】
【表３】
2013175973.tif 000018
【００７６】
上記三刺激値から、パネル１０１と同様にして、パネル１０３の色ムラ指数Ｃｄを算出した。
その結果、色ムラ指数Ｃｄは１６４であった。
なお、パネル１０３において、Ｘｎ＝９８，Ｙｎ＝１００，Ｚｎ＝８３であった。【００７７】
《サンプルの評価》
（１）目視による色ムラ評価
パネル１０１〜１０３に対し、下記の判断基準に従って、目視による評価を行った。
評価結果を表４に示す。【００７８】
◎：色ムラがない
○：色ムラが気にならない
△：色ムラが気になる
×：非常に色ムラが気になる【００７９】
【表４】
2013175973.tif 000019
【００８０】
（２）まとめ
表４からわかるように、色ムラ指数Ｃｄと目視による色ムラの評価結果には、相関関係が認められる。
以上から、発光領域を複数のブロックに分割し、ブロック間の色差および距離から算出される色ムラ指数Ｃｄを用いることは、色ムラの評価に有用であることがわかる。
【実施例２】
【００８１】
《サンプルの測定》
（１）パネル１０１の色ムラ指数の測定
実施例１のパネル１０１の測定において、色差と色ムラ指数とを、それぞれ上記式（４），（５）を用いて算出した以外は同様にして、パネル１０１の測定を行った。
その結果、色ムラ指数Ｅｄは１０６であった。【００８２】
（２）パネル１０２の色ムラ指数の測定
実施例１のパネル１０２の測定において、色差と色ムラ指数とを、それぞれ上記式（４），（５）を用いて算出した以外は同様にして、パネル１０２の測定を行った。
その結果、色ムラ指数Ｅｄは１３９であった。【００８３】
（３）パネル１０３の色ムラ指数の測定
実施例１のパネル１０３の測定において、色差と色ムラ指数とを、それぞれ上記式（４），（５）を用いて算出した以外は同様にして、パネル１０３の測定を行った。
その結果、色ムラ指数Ｅｄは２６５であった。【００８４】
《サンプルの評価》
（１）目視による色ムラ評価
パネル１０１〜１０３に対し、下記の判断基準に従って、目視による評価を行った。
評価結果を表５に示す。【００８５】
◎：色ムラがない
○：色ムラが気にならない
△：色ムラが気になる
×：非常に色ムラが気になる【００８６】
【表５】
2013175973.tif 000020
【００８７】
（２）まとめ
表５からわかるように、色ムラ指数Ｅｄと目視による色ムラの評価結果には、相関関係が認められる。
以上から、発光領域を複数のブロックに分割し、ブロック間の色差および距離から算出される色ムラ指数Ｅｄを用いることは、色ムラの評価に有用であることがわかる。
【産業上の利用可能性】
【００８８】
本発明は、面発光体の色ムラをより厳密に評価するのに好適に利用することができる。
【符号の説明】
【００８９】
１  色ムラ測定装置
１０  制御部
１２  ＣＰＵ
１４  ＲＡＭ
２０  測定部
２２  センサー
３０  記憶部
３２  ＲＯＭ
４０  入力部
５０  出力部
【図１】
2013175973.tif 000042
【図２】
2013175973.tif 000043
【図３】
2013175973.tif 000044
【図４】
2013175973.tif 000045
【国際調査報告】
2013175973.tif 000046
2013175973.tif 000047
2013175973.tif 000048
2013175973.tif 000049